(57)【要約】【課題】液晶プロジェクタの投影レンズを、撮影レンズとして兼用させ、よりスリムで小型にすることができ、また、部品点数も削減することで、製造コストを低減することもできる液晶プロジェクタ付き携帯電話装置を提供すること。【解決手段】液晶プロジェクタの投影レンズを撮影レンズ３として兼用させるようにしている。【選択図】図１
2008158093.tif 000002
【特許請求の範囲】
【請求項１】
液晶プロジェクタの投影レンズを、撮影レンズとして兼用させることを特徴とする液晶プロジェクタ付き携帯電話装置。
【請求項２】
請求項１に記載の液晶プロジェクタ付き携帯電話装置において、
撮影レンズとして兼用される投影レンズは、９０度以上の広角レンズであることを特徴とする液晶プロジェクタ付き携帯電話装置。
【請求項３】
請求項１又は２のいずれか1項に記載のプロジェクタ付き携帯電話装置において、
前記液晶プロジェクタは、
光源から発光されたＳ偏光の白色光をダイクロイックプリズムに入射させ、前記白色光の赤色、青色、緑色の三原色のうち、赤色、青色の二色の光を前記ダイクロイックプリズムで反射させ且つ前記ダイクロイックプリズムで緑色光を透過させ、前記ダイクロイックプリズムで反射させた赤色、青色の二色のうち青色光を第１偏光板によりＳ偏光からＰ偏光の光に変換させ且つ前記ダイクロイックプリズムで反射させた赤色、青色の二色のうち赤色光を第１偏光板をＳ偏光の状態で透過させ、前記第１偏光板によりＰ偏光とされた青色光を第１偏光ビームスプリッタを透過させ且つ前記第１偏光板を透過したＳ偏光の赤色光を前記第１偏光ビームスプリッタで反射させ、前記第１偏光ビームスプリッタで反射した赤色用の反射液晶パネルに入射させて前記赤色用の反射液晶パネルで反射させる際にＳ偏光からＰ偏光に変換し、前記第１偏光ビームスプリッタを透過した青色光を青色用の反射液晶パネルに入射させて青色用の反射液晶パネルで反射させる際にＰ偏光からＳ偏光に変換させ、前記赤色用の反射液晶パネルでＰ偏光に変換された赤色光を前記第１偏光ビームスプリッタを透過させ且つ前記青色光を青色用の反射液晶パネルでＳ偏光に変換された青色光を前記第１偏光ビームスプリッタで反射させ、前記第１偏光ビームスプリッタを透過した赤色光を第２偏光板をＰ偏光の状態で透過させ且つ前記第１偏光ビームスプリッタで反射するＳ偏光の青色光を前記第２偏光板でＰ偏光に変換させ、前記ダイクロイックプリズムを透過したＳ偏光の緑色光を第２偏光ビームスプリッタで反射させ、この緑色光を緑色用の反射液晶パネルに入射させて反射させて前記緑色光を緑色用の反射液晶パネルで反射させる際にＳ偏光からＰ偏光に変換させ、このＰ偏光の緑色光を第２偏光ビームスプリッタを透過させて第３偏光板でＰ偏光からＳ偏光に変換させ、前記第２偏光板を透過したＰ偏光の赤色光及び前記第２偏光板でＰ偏光に変換された青色光を前記第３偏光ビームスプリッタを透過させ且つ前記第３偏光板でＳ偏光に変換された緑色光を前記第３偏光ビームスプリッタで反射させ、前記第３偏光ビームスプリッタを透過する直線偏光であるＰ偏光の赤色光及び青色光と前記第３偏光ビームスプリッタで反射する直線偏光であるＳ偏光の緑色光とを第４偏光板で円偏光に変換して合成することを特徴とする液晶プロジェクタ付き携帯電話装置。
【請求項４】
請求項１又は２のいずれか1項に記載のプロジェクタ付き携帯電話装置において、
前記液晶プロジェクタは、
Ｓ偏光の白色光を発光させる白色光源と、
前記白色光の赤色光、青色光、緑色光の三原色のうち、赤色光、青色光の二色の光を反射させ且つ緑色光を透過させるダイクロイックプリズムと、
前記ダイクロイックプリズムで反射した青色光をＳ偏光からＰ偏光の光に変換させ且つダイクロイックプリズムで反射した前記赤色光をＳ偏光の状態で透過させる第１偏光板と、
前記第１偏光板を透過したＳ偏光の赤色光を反射させ且つ前記第１偏光板でＰ偏光された青色光を透過させる第１偏光ビームスプリッタと、
前記第１偏光ビームスプリッタで反射する赤色光が入射し且つこの入射する赤色光を反射させる際にＰ偏光させて前記第１偏光ビームスプリッタを透過させる赤色用の反射液晶パネルと、
前記第１偏光ビームスプリッタを透過する青色光を反射させ且つ反射する青色光をＳ偏光させて前記第１偏光ビームスプリッタで反射させる青色用の反射液晶パネルと、
前記第１偏光ビームスプリッタで反射させた青色光をＳ偏光からＰ偏光に変換且つ前記第１偏光ビームスプリッタを透過する赤色光をＰ変更状態で透過させる第２偏光板と、
前記ダイクロイックプリズムを透過した緑色光を反射させる第２偏光ビームスプリッタと、
前記第２偏光ビームスプリッタで反射した緑色光が入射し且つこの入射する緑色光を反射させる際にＰ偏光させて前記第２偏光ビームスプリッタを透過させる緑色用の反射液晶パネルと、
前記第２偏光ビームスプリッタを透過した緑色光をＰ偏光からＳ偏光にさせる第３偏光板と、
前記第２偏光板を透過したＰ偏光の赤色光及び青色光を透過させ且つ前記第３偏光板を透過したＳ偏光の緑色光を反射させる第３偏光ビームスプリッタと、
前記第３偏光ビームスプリッタから出射するＰ偏光の赤色光，青色光及びＳ偏光の緑色光を直線偏光であるＰ偏光及びＳ偏光から円偏光に変換して合成する第４偏光板を有することを特徴とする液晶プロジェクタ付き携帯電話装置。
【請求項５】
請求項１〜４のいずれか１項に記載の液晶プロジェクタ付き携帯電話装置において、
前記白色光を出力する光源は、半導体レーザであることを特徴とする液晶プロジェクタ付き携帯電話装置。
【発明の詳細な説明】
【技術分野】
【０００１】
本発明は、液晶パネルなどの反射型光変調素子を３枚用いた３板式の液晶プロジェクタを内蔵する携帯電話装置に関する。
【背景技術】
【０００２】
従来から、携帯電話機などの小型機器にプロジェクタを搭載した機器が知られている（例えば特許文献１〜２）。
【特許文献１】特開２０００−２３６３７５号公報
【特許文献２】特開２００６−１１５４８６号公報
【発明の開示】
【発明が解決しようとする課題】
【０００３】
しかしながら、従来のプロジェクタ付き携帯電話装置でンズと、投影用のレンズを別々に設けなければならず、装置をよりスリムで小型化にすることができなかった。
【０００４】
そこで、本発明では、液晶プロジェクタの投影レンズを、撮影レンズとして兼用させ、よりスリムで小型にすることができ、また、部品点数も削減することで、製造コストを低減することもできる液晶プロジェクタ付き携帯電話装置を提供することを目的とする。
【課題を解決するための手段】
【０００５】
この目的を達成するため、この発明は、液晶プロジェクタの投影レンズを、撮影レンズとして兼用させる液晶プロジェクタ付き携帯電話装置としたことを特徴とする。
【発明の効果】
【０００６】
この発明によれば、液晶プロジェクタの投影レンズを、撮影レンズとして兼用させることから、携帯電話装置をよりスリムで小型にすることができると共に、部品点数も削減することで、製造コストを低減することもできる。
【発明を実施するための最良の形態】
【０００７】
以下、この発明の実施の形態を図面に基づいて説明する。
＜液晶プロジェクタ付き携帯電話装置の原理＞
図１（ａ）は本発明に係る液晶プロジェクタ付き携帯電話装置を折り畳んだときの外観図、図１（ｂ）は図１（ａ）の携帯電話装置を開いたときの外観図、図１（ｃ）は図１（ａ）の携帯電話装置の内部の主要な光学系を示す概略説明図である。
【０００８】
図１（ａ）において、１は液晶プロジェクタ付き携帯電話装置である。この携帯電話装置１は第１ケース（第１の装置本体）１ａと第２ケース（第２の装置本体）１ｂを備え、第１ケース１ａと第２ケース１ｂはヒンジ軸１ｃを介して折畳可能に設けられている。この第１，第２ケース１ａ，１ｂは図１（ｂ）に示したように折り畳んだときの合わせ面１ａ１，１ｂ１を有する。また、合わせ面１ａ１には複数の操作ボタン（符号省略）を備える操作部１ａ２が設けられ、合わせ面１ｂ１には液晶表示器（液晶表示部、表示手段）１ｂ２が設けられている。１ｄは第２ケース１ｂに設けられたアンテナである。
【０００９】
また、第２ケース１ｂ内には撮影光学系が設けられている。この撮影光学系２は、第２ケース（第２の装置本体）１ｂの背面に図１（ａ）の如く保持された撮影レンズ３と、図１（ｃ）の如く第２ケース１ｂ内に設けられ且つ撮影レンズ３により投影される被写体が結像されるＣＣＤ（固体撮像素子）４を有する。
【００１０】
また、この第２ケース１ｂ内には液晶プロジェクタ５が設けられている。この液晶プロジェクタ５は、反射型の液晶パネルであるＬＣＯＳ（Liquid Crystal On Silicon）６と、このＬＣＯＳ６に光を投影する光源７と、撮影レンズ３とＣＣＤ４との間に配設されたハーフミラー８と、撮影レンズ３を有する。この光源７にはＬＤ光源が用いられている。
【００１１】
更に、図１（ａ），図１（ｂ）の第１ケース１ａ内には図１（ｃ）に示した制御回路９が配設されていて、この制御回路９には図１（ｂ）に示した操作部１ａ２の操作が入力される。この制御回路９は、操作部１ａ２の操作により液晶表示器１ｂ２の表示内容を選択変更したり、その他一般に知られている携帯電話の制御を行うようになっている。また、制御回路９は、操作部１ａ２の操作による切換信号でＣＣＤ４やＬＣＯＳ６，光源７等の制御を行って、撮影光学系２による撮影と、液晶プロジェクタ５による投影との切換制御を行うようになっている。尚、この切換操作は、操作部１ａ２の複数の操作ボタン（符号省略）のいずれか一つ、或いは複数の組み合わせを用いて行うことができる。
【００１２】
従って、操作部１ａ２の操作により、ＣＣＤ４を制御回路９によりＯＦＦさせると共に、制御回路９によりＬＣＯＳ６を作動させ且つ光源７を点灯させることにより、光源７からの照明光をＬＣＯＳ６に投影して反射させ、ＬＣＯＳ６に映し出された画像を光源７からの照明光により反射させて取り出し、取り出した画像の反射光をハーフミラー８及び撮影レンズ３を介して携帯電話装置の外部のスクリーン等の投影面に投影することにより、投影面にＬＣＯＳ６に映し出された画像を映し出すことができる。
【００１３】
この投影面としては、通常のスクリーンや身近にある建物の壁や天井或いはその他種々の平面や物体を利用できる。この場合には、携帯電話装置の撮影レンズ３が投影レンズとして機能する。従って、携帯電話装置でダウンロードした映画や、撮影した写真、動画などをスクリーンに拡大して投影することができる。
【００１４】
また、操作部１ａ２の操作により、ＣＣＤ４を制御回路９によりＯＮさせると共に、制御回路９によりＬＣＯＳ６及び光源７をＯＦＦさせることにより、撮影レンズ３を介してＣＣＤ４に結像される被写体をＣＣＤ４により撮像して、液晶表示器１ｂ２に表示させることができる。
【００１５】
尚、ＬＣＯＳ（Liquid Crystal On Silicon）６は、液晶プロジェクタ５の主要な光学系を示し、シリコン基板の上に液晶を形成して、光を反射させて表示する反射型の液晶表示パネルを言う。
【００１６】
尚、撮影レンズ３として兼用される投影レンズは、９０度以上の広角レンズが用いられている。また、これに限定されず、例えば、１２０度〜１８０度の超広角レンズを撮影レンズ３とすることが望ましい。
【実施例】
【００１７】
また、図２は、図１（ｃ）の液晶プロジェクタ５のＬＣＯＳ６及び光源７に代えて用いるカラー液晶プロジェクタ本体１０の主要な光学系を示したものである。
【００１８】
このカラー液晶プロジェクタ本体１０は、白色光源（図示せず）と、この白色光源からの照明光が入射するダイクロイックプリズム１１を有する。このダイクロイックプリズム１１には、白色光源からの白色照明光は矢印Ａ１で示したように入射されるようになっている。しかも、白色光はＳ偏光された状態でダイクロイックプリズム１１に入射するようになっている。
【００１９】
尚、この白色光源には、白色照明光を出射する半導体レーザを用いている。しかし、白色光源は、この半導体レーザーに限定されず、ＬＥＤ、ハロゲンランプ等でもよい。
【００２０】
更に、ダイクロイックプリズム１１は、白色光の赤色光、青色光、緑色光の三原色の光のうち、赤色光の光を矢印Ａ２で示したように反射させると共に、Ｓ偏光された青色光の光を矢印Ａ３で示したように反射させる接合面（コーティング面）１１ａを有する。また、ダイクロイックプリズム１１の接合面１１ａは、矢印Ａ４で示したようにＳ偏光された緑色光を透過させるようになっている。
【００２１】
また、カラー液晶プロジェクタ本体１０は、３つのＰＢＳ（Polarization beam splitter、偏光ビームスプリッタ）、即ち、青（Ｂｌｕｅ）及び赤（ｒｅｄ）用の第１偏光ビームスプリッタ１２と、緑（Ｇｒｅｅｎ）用の第２偏光ビームスプリッタ１３と、射出側の第３偏光ビームスプリッタ１４を有する。しかも、カラー液晶プロジェクタ本体１０は、青（Ｂｌｕｅ）波長回転用の第１の積層型位相板（第１偏光板）１５と、青（Ｂｌｕｅ）波長回転用の第２の積層型位相板第（２偏光板）１６と、緑（Ｇｒｅｅｎ）波長回転用の積層型位相板（第３偏光板）１７と、１／４波長板（第４偏光板）１８を有する。
【００２２】
更に、カラー液晶プロジェクタ本体１０は、３つのＬＣＯＳ（Liquid Crystal On Silicon、反射型の液晶パネル）、即ち、青色（Ｂｌｕｅ）光用液晶パネル１９と、緑色（Ｇｒｅｅｎ）光用液晶パネル２０と、赤色（ｒｅｄ）光用液晶パネル２１を有する。
【００２３】
そして、ダイクロイックプリズム１１で反射させられた赤色光、青色光は積層型位相板１５に入射するようになっている。この積層型位相板１５は、二色のうち赤色光を矢印Ａ３で示したようにＳ偏光の状態で透過させ、青色光をＳ偏光からＰ偏光に変換するように、図示しないフィルターと位相板を積層した構成となっている。この積層型位相板１５には周知の構造のものを採用できるので、その詳細な説明は省略する。
【００２４】
この積層型位相板１５を透過した赤色光及び青色光は第１偏光ビームスプリッタ１２に入射するようになっている。そして、第１偏光ビームスプリッタ１２は、積層型位相板１５をＳ偏光の状態で透過した赤色光を矢印Ａ５で示したように反射させると共に、Ｐ偏光させられた青色光を矢印Ａ６で示したように透過させる接合面（コーティング面）１２ａを有する。
【００２５】
また、第１偏光ビームスプリッタ１２を透過した青色光は、青色光用液晶パネル１９に入射して、青色光用液晶パネル１９で反射するようになっている。この際、青色光は、青色光用液晶パネル１９の画像を反射すると共に、青色光用液晶パネル１９によりＳ偏光されて矢印Ａ７で示したように第１偏光ビームスプリッタ１２に入射するようになっている。
【００２６】
一方、第１偏光ビームスプリッタ１２で反射した赤色光は、赤色光用液晶パネル２１に入射して、赤色光用液晶パネル２１で反射するようになっている。この際、赤色光は、赤色光用液晶パネル２１の画像を反射すると共に、赤色光用液晶パネル２１でＰ偏光されて、矢印Ａ８で示したように第１偏光ビームスプリッタ１２に入射するようになっている。
【００２７】
そして、矢印Ａ７の如く第１偏光ビームスプリッタ１２に入射したＳ偏光の青色光は矢印Ａ９で示したように接合面１２ａで反射し、矢印Ａ８の如く第１偏光ビームスプリッタ１２に入射したＰ偏光の赤色光は矢印Ａ１０で示したように接合面１２ａを透過するようになっている。
【００２８】
この第１偏光ビームスプリッタ１２で反射した青色光及び第１偏光ビームスプリッタ１２を透過した赤色光は青波長回転用の第２の積層型位相板１６に入射するようになっている。この第２の積層型位相板１６は、二色のうち赤色光を矢印Ａ１０で示したようにＰ偏光の状態で透過させ、青色光をＳ偏光からＰ偏光に変換するように、図示しないフィルターと位相板を積層した構成となっている。この積層型位相板１６には周知の構造のものを採用できるので、その詳細な説明は省略する。
【００２９】
この第２の積層型位相板１６をＰ偏光の状態で透過した赤色光は矢印Ａ１０で示したように第３偏光ビームスプリッタ１４に入射し、第２の積層型位相板１６でＰ偏光された青色光は矢印Ａ１１で第３偏光ビームスプリッタ１４に入射するようになっている。しかも、第３偏光ビームスプリッタ１４に入射するＰ偏光の状態の赤色光及び青色光は、矢印Ａ１０，Ａ１１で示したように第３偏光ビームスプリッタ１４の接合面（コーティング面）１４ａを透過するようになっている。
【００３０】
また、ダイクロイックプリズム１１をＳ偏光された状態で透過した緑色光は矢印Ａ４で示したように第２偏光ビームスプリッタ１３に入射する。そして、第２偏光ビームスプリッタ１３は、入射したＳ偏光の緑色光を矢印Ａ１２で示したように反射する接合面（コーティング面）１３ａを有する。この第２偏光ビームスプリッタ１３の接合面１３ａで反射した緑色光は緑色光用液晶パネル２０に入射するようになっている。この際、緑色光は、緑色光用液晶パネル２０の画像を反射すると共に、緑色光用液晶パネル２０によりＰ偏光されて矢印Ａ１３で示したように第２偏光ビームスプリッタ１３に入射するようになっている。
【００３１】
この第２偏光ビームスプリッタ１３に入射したＰ偏光状態の緑色光は第２偏光ビームスプリッタ１３の接合面１３ａを透過し、緑波長回転用の積層型位相板１７に入射する。この緑波長回転用の積層型位相板１７は、入射するＰ偏光状態の緑色光をＳ偏光させて、矢印Ａ１４で示したように第３偏光ビームスプリッタ１４に入射させるようになっている。この第３偏光ビームスプリッタ１４は、Ｓ偏光された緑色光を矢印Ａ１５で示したように反射する接合面（コーティング面）１４ａを有する。
【００３２】
そして、この接合面１４ａを上述の如く透過したＰ偏光（直線偏光）の赤色光及び青色光とＳ偏光（直線偏光）の接合面１４ａで反射した緑色光は、１／４波長板１８を透過する。この際、１／４波長板１８は、直線偏光成分である赤色光，青色光及び緑色光を円偏光させて合成し、カラーによる合成画像の光束を矢印Ａ１６で示したように出射する。このカラーによる合成画像の光束は、図１に示したハーフミラー８及び撮影レンズ３を介してスクリーン等（図示せず）に投影される。
【００３３】
以上のように、本発明では、液晶プロジェクタ５の投影レンズを、撮影レンズ３として兼用させることから、携帯電話装置をよりスリムで小型にすることができると共に、部品点数も削減することで、製造コストを低減することもできる。
【００３４】
なお、本発明の液晶プロジェクタ付き携帯電話装置の液晶プロジェクタの光学系は、当然、液晶プロジェクタ装置として用いることもできる。
【００３５】
また、超広角レンズを搭載することから、車載カメラとして、自動車に搭載し、車内ＬＡＮケーブルを携帯電話に接続することにより、車窓の様子を撮影し、携帯電話の映像メモリに保存することもできる。
【００３６】
また、以上説明したように、この発明の実施の形態の液晶プロジェクタ付き携帯電話装置は、液晶プロジェクタ５の投影レンズを撮影レンズ３として兼用させるようにしている。即ち、液晶プロジェクタ付き携帯電話装置は、携帯電話の撮影レンズ３を液晶プロジェクタ５の投影レンズと兼用させている。
【００３７】
この構成によれば、液晶プロジェクタ５の投影レンズと携帯電話の撮影レンズ３を兼用させているので、携帯電話装置に液晶プロジェクタ５を組み込んでも、液晶プロジェクタ５の投影レンズと携帯電話の撮影レンズ３とを別々に設けた携帯電話装置よりも携帯電話装置をよりスリムで小型にすることができ、また、部品点数も削減することで、製造コストを低減することもできる。
また、この発明の実施の形態の液晶プロジェクタ付き携帯電話装置において、撮影レンズ３として兼用される投影レンズは９０度以上の広角レンズとしている。この構成によれば、液晶プロジェクタ付き携帯電話装置を車載カメラとした場合、自動車に搭載し、車内ＬＡＮケーブルを携帯電話に接続することにより、車窓の様子を撮影し、携帯電話の映像メモリに保存することもできる。
【００３８】
更に、この発明の実施の形態のプロジェクタ付き携帯電話装置において、前記液晶プロジェクタは、光源から発光されたＳ偏光の白色光をダイクロイックプリズム１１に入射させるようにしている。また、前記白色光の赤色、青色、緑色の三原色のうち、赤色、青色の二色の光を前記ダイクロイックプリズム１１で反射させ且つ前記ダイクロイックプリズム１１で緑色光を透過させるようになっている。また、前記ダイクロイックプリズム１１で反射させた赤色、青色の二色のうち青色光を第１偏光板（積層型位相板１５）によりＳ偏光からＰ偏光の光に変換させ且つ前記ダイクロイックプリズム１１で反射させた赤色、青色の二色のうち赤色光を第１偏光板（積層型位相板１５）をＳ偏光の状態で透過させるようにしている。更に、前記第１偏光板（積層型位相板１５）によりＰ偏光とされた青色光を第１偏光ビームスプリッタ１２を透過させ且つ前記第１偏光板（積層型位相板１５）を透過したＳ偏光の赤色光を前記第１偏光ビームスプリッタ１２で反射させるようにしている。また、前記第１偏光ビームスプリッタ１５で反射した赤色用の反射液晶パネル２１に入射させて前記赤色用の反射液晶パネル２１で反射させる際にＳ偏光からＰ偏光に変換させるようにしている。また、前記第１偏光ビームスプリッタ１５を透過した青色光を青色用の反射液晶パネル１９に入射させて青色用の反射液晶パネル１９で反射させる際にＰ偏光からＳ偏光に変換させるようしている。更に、前記赤色用の反射液晶パネル２１でＰ偏光に変換された赤色光を前記第１偏光ビームスプリッタ１５を透過させ且つ前記青色光を青色用の反射液晶パネル１９でＳ偏光に変換された青色光を前記第１偏光ビームスプリッタ１５で反射させるようにしている。また、前記第１偏光ビームスプリッタ１５を透過した赤色光を第２偏光板（積層型位相板１６）をＰ偏光の状態で透過させ且つ前記第１偏光ビームスプリッタ１５で反射するＳ偏光の青色光を前記第２偏光板（積層型位相板１６）でＰ偏光に変換させている。しかも、前記ダイクロイックプリズム１１を透過したＳ偏光の緑色光を第２偏光ビームスプリッタ１３で反射させている。また、この緑色光を緑色用の反射液晶パネル２０に入射させて反射させて前記緑色光を緑色用の反射液晶パネル２０で反射させる際にＳ偏光からＰ偏光に変換させ、このＰ偏光の緑色光を第２偏光ビームスプリッタ１３を透過させて第３偏光板（積層型位相板１７）でＰ偏光からＳ偏光に変換させている。そして、前記第２偏光板（積層型位相板１６）を透過したＰ偏光の赤色光及び前記第２偏光板（積層型位相板１６）でＰ偏光に変換された青色光を第３偏光ビームスプリッタ１４を透過させ且つ前記第３偏光板（積層型位相板１７）でＳ偏光に変換された緑色光を前記第３偏光ビームスプリッタ１４で反射させている。更に、前記第３偏光ビームスプリッタ１４を透過する直線偏光であるＰ偏光の赤色光及び青色光と前記第３偏光ビームスプリッタ１４で反射する直線偏光であるＳ偏光の緑色光とを第４偏光板（１／４波長板）で円偏光に変換して合成するようにしている。
【００３９】
この構成によれば、簡単な構成で、カラーの液晶プロジェクタを携帯電話に組み込むことができる。
【００４０】
また、この発明の実施の形態のプロジェクタ付き携帯電話装置において、前記液晶プロジェクタ５は、Ｓ偏光の白色光を発光させる白色光源（図示せず）と、前記白色光の赤色光、青色光、緑色光の三原色のうち、赤色光、青色光の二色の光を反射させ且つ緑色光を透過させるダイクロイックプリズム１１と、前記ダイクロイックプリズム１１で反射した青色光をＳ偏光からＰ偏光の光に変換させ且つダイクロイックプリズム１１で反射した前記赤色光をＳ偏光の状態で透過させる第１偏光板（積層型位相板１５）を有する。また、液晶プロジェクタ５は、前記第１偏光板（積層型位相板１５）を透過したＳ偏光の赤色光を反射させ且つ前記第１偏光板（積層型位相板１５）でＰ偏光された青色光を透過させる第１偏光ビームスプリッタ１２を有する。更に、液晶プロジェクタ５は、前記第１偏光ビームスプリッタ１２で反射する赤色光が入射し且つこの入射する赤色光を反射させる際にＰ偏光させて前記第１偏光ビームスプリッタ１２を透過させる赤色用の反射液晶パネル２１と、前記第１偏光ビームスプリッタ１２を透過する青色光を反射させ且つ反射する青色光をＳ偏光させて前記第１偏光ビームスプリッタ１２で反射させる青色用の反射液晶パネル１９を有する。また、液晶プロジェクタ５は、前記第１偏光ビームスプリッタ１２で反射させた青色光をＳ偏光からＰ偏光に変換且つ前記第１偏光ビームスプリッタ１２を透過する赤色光をＰ変更状態で透過させる第２偏光板（積層型位相板１６）を有する。また、液晶プロジェクタ５は、前記ダイクロイックプリズム１１を透過した緑色光を反射させる第２偏光ビームスプリッタ１３と、前記第２偏光ビームスプリッタ１３で反射した緑色光が入射し且つこの入射する緑色光を反射させる際にＰ偏光させて前記第２偏光ビームスプリッタ１３を透過させる緑色用の反射液晶パネル２０と、前記第２偏光ビームスプリッタ１３を透過した緑色光をＰ偏光からＳ偏光にさせる第３偏光板（積層型位相板１７）を有する。また、液晶プロジェクタ５は、前記第２偏光板（積層型位相板１６）を透過したＰ偏光の赤色光及び青色光を透過させ且つ前記第３偏光板（積層型位相板１７）を透過したＳ偏光の緑色光を反射させる第３偏光ビームスプリッタ１４と、前記第３偏光ビームスプリッタ１４から出射するＰ偏光の赤色光，青色光及びＳ偏光の緑色光を直線偏光であるＰ偏光及びＳ偏光から円偏光に変換して合成する第４偏光板（１／４波長板１８）を有する。
【００４１】
この構成によれば、簡単な構成で、カラーの液晶プロジェクタを携帯電話に組み込むことができる。
【００４２】
更に、この発明の実施の形態の液晶プロジェクタ付き携帯電話装置において、前記白色光を出力する光源は半導体レーザである。
【００４３】
この構成によれば、簡単な構成で、カラーの液晶プロジェクタの光源を小さなものとすることができる。
【図面の簡単な説明】
【００４４】
【図１】（ａ）は本発明に係る液晶プロジェクタ付き携帯電話装置を折り畳んだときの外観図、（ｂ）は（ａ）の携帯電話装置を開いたときの外観図、（ｃ）は（ａ）の携帯電話装置の内部の主要な光学系を示す概略説明図である。
【図２】本発明に係る液晶プロジェクタ付き携帯電話装置の液晶プロジェクタ光学系の拡大図を示す。
【符号の説明】
【００４５】
１・・・携帯電話装置
２・・・撮影光学系
５・・・液晶プロジェクタ
１０・・・カラー液晶プロジェクタ本体
１１・・・ダイクロイックプリズム
１２・・・第１偏光ビームスプリッタ
１３・・・第２偏光ビームスプリッタ
１４・・・第３偏光ビームスプリッタ
１５・・・積層型位相板（第１偏光板）
１６・・・積層型位相板（第２偏光板）
１７・・・積層型位相板（第３偏光板）
１８・・１／４波長板（第４偏光板）
１９・・・青色用の反射液晶パネル
２０・・・緑色用の反射液晶パネル
２１・・・赤色用の反射液晶パネル
【図１】
2008158093.tif 000003
【図２】
2008158093.tif 000004